(57)【要約】【課題】通常の使用状態環境において必要に応じて初期化を行うこと。【解決手段】フラッシュメモリ部１１と、メモリ部コントローラ１０と、電源部１２とを有する半導体メモリ装置において、初期化処理の実行を指示するための初期化指示手段１４と、前記メモリ部コントローラ１０において動作し、前記初期化指示手段１４による初期化処理の実行指示を受けた場合に前記フラッシュメモリ部１１の初期化処理を行う初期化実行手段２１とを具備する。【選択図】図１
2019067042.tif 000002
【特許請求の範囲】
【請求項１】
フラッシュメモリ部と、メモリ部コントローラと、電源部とを有する半導体メモリ装置において、
初期化処理の実行を指示するための初期化指示手段と、
前記メモリ部コントローラにおいて動作し、前記初期化指示手段による初期化処理の実行指示を受けた場合に前記フラッシュメモリ部の初期化処理を行う初期化実行手段と
を具備することを特徴とする半導体メモリ装置。
【請求項２】
前記初期化指示手段は、初期化処理の実行指示状態と不実行指示状態を任意に切り換え可能であることを特徴とする請求項１に記載の半導体メモリ装置。
【請求項３】
前記初期化指示手段は、前記半導体メモリ装置の筐体または前記半導体メモリ装置のアダプタに設けられたスライド型スイッチにより構成されることを特徴とする請求項１または２に記載の半導体メモリ装置。
【請求項４】
前記初期化指示手段は、前記半導体メモリ装置の筐体または前記半導体メモリ装置のアダプタに設けられたプッシュ型スイッチにより構成されることを特徴とする請求項１または２に記載の半導体メモリ装置。
【請求項５】
前記半導体メモリ装置の筐体または前記半導体メモリ装置のアダプタには、前記初期化指示手段として、スライド型スイッチとプッシュ型スイッチの双方が設けられていることを特徴とする請求項１または２に記載の半導体装置。
【請求項６】
前記半導体の筐体にアダプタを装着させて使用するタイプの半導体メモリ装置において、
前記初期化指示手段として、初期化用のアダプタには、所定端子に所定電位とする配線が設けられ、
前記初期化実行手段は、前記初期化用のアダプタの所定端子に所定電位が現れていると
きに初期化処理を行うことを特徴する請求項１または２に記載の半導体メモリ装置。
【請求項７】
通常は絶縁シールが被覆され相互に絶縁された複数のＰＡＤ端子が筐体に設けられているタイプの半導体メモリ装置において、
前記初期化指示手段は、前記ＰＡＤ端子を被覆するように貼着する初期化指示用絶縁シールであり、当該初期化指示用シールにおける前記ＰＡＤ端子に接触する面に所定のＰＡＤ端子を導通させる導電パターンが設けられていることを特徴とする請求項１または２に記載の半導体メモリ装置。
【請求項８】
前記初期化指示手段は、初期化処理の不実行指示状態から実行指示状態へ切り換わると、実行指示状態に固定化されることを特徴とする請求項１に記載の半導体メモリ装置。
【請求項９】
前記初期化指示手段は、前記半導体メモリ装置の筐体の所定部位の穴開けまたは切り欠きにより、初期化実行手段へ所定の信号を与えるように構成されていることを特徴とする請求項８に記載の半導体メモリ装置。
【請求項１０】
前記初期化実行手段は、前記フラッシュメモリ部内におけるユーザデータを管理する領域を優先して初期化することを特徴とする請求項１乃至９のいずれか１項に記載の半導体メモリ装置。
【請求項１１】
前記半導体メモリ装置の筐体または前記半導体メモリ装置のアダプタには、
通常のデータアクセス中と前記初期化指示手段からの指示による初期化中とを識別表示する識別表示手段と、
前記初期化実行手段が初期化を行っているか否かに基づいて前記識別表示手段の表示を制御する識別表示制御手段と
を具備することを特徴とする請求項１乃至１０のいずれか１項に記載の半導体メモリ装置。
【請求項１２】
前記識別表示手段は、１つ以上のＬＥＤにより構成されることを特徴とする請求項１１に記載の半導体メモリ装置。
【請求項１３】
前記識別表示手段は、異なる色及びまたは異なる点灯態様で発光する１つ以上のＬＥＤにより構成されることを特徴とする請求項１１に記載の半導体メモリ装置。
【請求項１４】
前記初期化実行手段は、パワーオンリセット時に前記初期化指示手段からの指示情報を検出して、初期化処理の実行・非実行を決定することを特徴とする請求項１乃至１３のいずれか１項に記載の半導体メモリ装置。
【発明の詳細な説明】
【技術分野】
【０００１】
この発明は、フラッシュメモリ部と、メモリ部コントローラと、電源部とを有する半導体メモリ装置に関するものである。
【背景技術】
【０００２】
ＮＡＮＤ型フラッシュメモリは不揮発型半導体メモリであり、電源をオフしても、書き込まれているデータが消去されることはない。このような不揮発型半導体メモリを搭載したデータストレージを利用するには、パーソナルコンピュータなどの、この種のメモリにアクセス可能な電子機器に接続する必要がある。接続する電子機器がコンピュータウィルスやワームウェアに感染している場合には、接続したメモリもコンピュータウィルス等に感染する可能性がある。
【０００３】
コンピュータウィルスに感染したことに気付くのは、このメモリを使用してパーソナルコンピュータなどの電子機器を利用した場合に、当該電子機器が不本意な動作を行った場合などである。また、不本意な動作が行われない場合においては、ウィルス検知（駆除）ソフトによりパーソナルコンピュータなどの電子機器やストレージについてウィルスチェックを行ったときに、コンピュータウィルスに感染したことを知ることができる。
【０００４】
パーソナルコンピュータなどの電子機器やストレージがウィルス等に感染した場合には、ウィルスの駆除が必要であり、ストレージについては、全データの消去によっても対処可能である。しかしながら、ウィルス等に感染したストレージについて上記の処理を行う場合には、パーソナルコンピュータに接続した上で作業を行うことになるが、オートランが設定されている状態のウィルス等に感染したストレージを不用意にパーソナルコンピュータに接続してしまうと、このウィルス等のプログラムが実行されてしまい、パーソナルコンピュータがウィルス等に感染する虞がある。
【０００５】
上記の状況に鑑みると、ウィルス等に感染したストレージが持ち込まれることを予測して、パーソナルコンピュータにウィルス駆除ソフトをインストールしておくことが必要である。しかし、パーソナルコンピュータにウィルス駆除ソフトをインストールしたとしても、ウィルス定義データベースを最新のものにしておく作業が必要であるなど、完璧な状態としておくことは難しい。更に、パーソナルコンピュータ以外の電子機器では、ウィルス駆除ソフトをインストールできないものも多く、この電子機器がストレージを介してウィルス感染しないようにする対策も求められている。
【０００６】
上記のような状況に対しては、ストレージをパーソナルコンピュータやこれ以外の電子機器に接続する前に初期化することが考えられる。特許文献１には、汎用のＩＣカード発行機を用いてｓｍａｒｔＳＤカードを初期化することが開示されている。
【０００７】
具体的には、ｓｍａｒｔＳＤカードの筐体内側にＩＣチップと電気的に接続するループ上のアンテナ回路を設けておく。このｓｍａｒｔＳＤカードを対応する開口部を備えるホルダー１２に装着し、発行機１５のスロットに入れて、発行機１５からの電波を、上記アンテナ回路を介してｓｍａｒｔＳＤカードへ送り所要の電力が得られるようにして初期化を行うものである。
【先行技術文献】
【特許文献】
【０００８】
【特許文献１】特開２０１５−１１７９７号公報
【発明の概要】
【発明が解決しようとする課題】
【０００９】
しかしながら、上記の初期化手法は、ｓｍａｒｔＳＤカードの発行を行う業者にとっては都合が良いものの、ｓｍａｒｔＳＤカードをパーソナルコンピュータやその他の電子機器において使用する一般ユーザにはカード発行機が必要となる等、簡単に対応できるものではなかった。
【００１０】
本発明は、このような半導体メモリ装置における現状に鑑みてなされたもので、その目的は、フラッシュメモリ部を備える半導体メモリ装置を、通常の使用状態における環境において初期化を行うことが可能とすることである。即ち、通常の使用状態環境において必要に応じて初期化を行うことが可能な半導体メモリ装置を提供することを目的とする。
【課題を解決するための手段】
【００１１】
本発明に係る半導体メモリ装置は、フラッシュメモリ部と、メモリ部コントローラと、電源部とを有する半導体メモリ装置において、初期化処理の実行を指示するための初期化指示手段と、前記メモリ部コントローラにおいて動作し、前記初期化指示手段による初期化処理の実行指示を受けた場合に前記フラッシュメモリ部の初期化処理を行う初期化実行手段とを具備することを特徴とする。
【００１２】
本発明に係る半導体メモリ装置では、前記初期化指示手段は、初期化処理の実行指示状態と不実行指示状態を任意に切り換え可能であることを特徴とする。
【００１３】
本発明に係る半導体メモリ装置では、前記初期化指示手段は、前記半導体メモリ装置の筐体または前記半導体メモリ装置のアダプタに設けられたスライド型スイッチにより構成されることを特徴とする。
【００１４】
本発明に係る半導体メモリ装置では、前記初期化指示手段は、前記半導体メモリ装置の筐体または前記半導体メモリ装置のアダプタに設けられたプッシュ型スイッチにより構成されることを特徴とする。
【００１５】
本発明に係る半導体メモリ装置では、前記半導体メモリ装置の筐体または前記半導体メモリ装置のアダプタには、前記初期化指示手段として、スライド型スイッチとプッシュ型スイッチの双方が設けられていることを特徴とする。
【００１６】
本発明に係る半導体メモリ装置では、前記半導体の筐体にアダプタを装着させて使用するタイプの半導体メモリ装置において、前記初期化指示手段として、初期化用のアダプタには所定端子に所定電位とする配線が設けられ、前記初期化実行手段は、前記初期化用アダプタの所定端子に所定電位が現れているときに初期化処理を行うことを特徴する。
【００１７】
本発明に係る半導体メモリ装置では、通常は絶縁シールが被覆され相互に絶縁された複数のＰＡＤ端子が筐体に設けられているタイプの半導体メモリ装置において、前記初期化指示手段は、前記ＰＡＤ端子を被覆するように貼着する初期化指示用絶縁シールであり、当該初期化指示用シールにおける前記ＰＡＤ端子に接触する面に所定のＰＡＤ端子を導通させる導電パターンが設けられていることを特徴とする。
【００１８】
本発明に係る半導体メモリ装置では、前記初期化指示手段は、初期化処理の不実行指示状態から実行指示状態へ切り換わると、実行指示状態に固定化されることを特徴とする。
【００１９】
本発明に係る半導体メモリ装置では、前記初期化指示手段は、前記半導体メモリ装置の筐体の所定部位の穴開けまたは切り欠きにより、初期化実行手段へ所定の信号を与えるように構成されていることを特徴とする。
【００２０】
本発明に係る半導体メモリ装置では、前記初期化実行手段は、前記フラッシュメモリ部内におけるユーザデータを管理する領域を優先して初期化することを特徴とする。
【００２１】
本発明に係る半導体メモリ装置では、前記半導体メモリ装置の筐体または前記半導体メモリ装置のアダプタには、通常のデータアクセス中と前記初期化指示手段からの指示による初期化中とを識別表示する識別表示手段と、前記初期化実行手段が初期化を行っているか否かに基づいて前記識別表示手段の表示を制御する識別表示制御手段とを具備することを特徴とする。
【００２２】
本発明に係る半導体メモリ装置では、前記識別表示手段は、１つ以上のＬＥＤにより構成されることを特徴とする。
【００２３】
本発明に係る半導体メモリ装置では、前記識別表示手段は、異なる色及びまたは異なる点灯態様で発光する１つ以上のＬＥＤにより構成されることを特徴とする。
【００２４】
本発明に係る半導体メモリ装置では、前記初期化実行手段は、パワーオンリセット時に前記初期化指示手段からの指示情報を検出して、初期化処理の実行・非実行を決定することを特徴とする。
【発明の効果】
【００２５】
本発明によれば、初期化処理の実行を指示するための初期化指示手段と、前記メモリ部コントローラにおいて動作し、前記初期化指示手段による初期化処理の実行指示を受けた場合に前記フラッシュメモリ部の初期化処理を行う初期化実行手段とを具備するので、通常の使用状態環境において必要に応じて初期化を行うことが可能である。
【図面の簡単な説明】
【００２６】
【図１】本発明の第１の実施形態に係る半導体メモリ装置の構成図。
【図２】本発明の第１の実施形態に係る半導体メモリ装置の動作を示すフローチャート。
【図３】本発明の第１の実施形態に係る半導体メモリ装置の表示処理に係る動作を示すフローチャート。
【図４】本発明の第２の実施形態に係る半導体メモリ装置の構成図。
【図５】本発明の第３の実施形態に係る半導体メモリ装置の構成図。
【図６】本発明の第４の実施形態に係る半導体メモリ装置の構成図。
【図７】本発明の第５の実施形態に係る半導体メモリ装置の構成図。
【図８】本発明の第６の実施形態に係る半導体メモリ装置の構成図。
【図９】本発明の第７の実施形態に係る半導体メモリ装置の構成図。
【図１０】本発明の第８の実施形態に係る半導体メモリ装置の構成図。
【図１１】ＳＤカードとＭＭＣカードとＳＰＩモードにおけるピン配列を示す図。
【図１２】本発明の第９の実施形態に係る半導体メモリ装置の構成図。
【図１３】本発明の第１０の実施形態におけるその１に係る半導体メモリ装置の構成図。
【図１４】本発明の第１０の実施形態におけるその１に係る半導体メモリ装置の構成図。
【発明を実施するための形態】
【００２７】
以下添付図面を参照して、本発明に係る半導体メモリ装置の実施形態を説明する。各図において同一の構成要素には同一の符号を付して重複する説明を省略する。図１には、第１の実施形態に係る半導体メモリ装置の構成図が示されている。半導体メモリ装置は、フラッシュメモリ部１１と、メモリ部コントローラ１０と、電源部１２とを有する。
【００２８】
フラッシュメモリ部１１は、ＮＡＮＤ型フラッシュメモリによる記憶素子により構成することができる。メモリ部コントローラ１０は、フラッシュメモリ部１１の管理を行うものであり、端子１３を介して接続されるパーソナルコンピュータなどの電子機器と通信を行って、その指示に従ってフラッシュメモリ部１１に対するアクセスを行う。
【００２９】
電源部１２は、端子１３を介して接続されるパーソナルコンピュータなどの電子機器から電力を受けて、必要な処理を加えるなどして各部へ電源供給するパワマネージメントを行うものである。この電源部１２は、メモリ部コントローラ１０の一部として構成されていても良い。
【００３０】
上記メモリ部コントローラ１０には、初期化指示手段１４が接続されている。初期化指示手段１４は、初期化処理の実行をメモリ部コントローラ１０へ指示するためのものである。上記メモリ部コントローラ１０には、プログラムにより実現される初期化実行手段２１が備えられている。この初期化実行手段２１は、上記初期化指示手段１４による初期化処理の実行指示を受けた場合に上記フラッシュメモリ部１１の初期化処理を行うものである。
【００３１】
メモリ部コントローラ１０には、表示コントローラ１５を介して識別表示手段１６が接続されている。表示コントローラ１５は、メモリ部コントローラ１０の制御により識別表示手段１６に対し、表示を行わせる。識別表示手段１６は、通常のデータアクセス中と初期化指示手段１４からの指示による初期化中とを識別表示する表示器であり、１つ以上のＬＥＤなどによって構成することができる。２つのＬＥＤを採用した場合には、発光色や点灯態様が同じでも異なるＬＥＤとした場合でも、例えば異なる位置に設けることにより識別表示することができる。また、１つのＬＥＤを採用した場合にあっても、通常のデータアクセス中と初期化指示手段１４からの指示による初期化中とで、色を異ならせたり表示態様を変えたりすることにより、識別表示することができる。ここに、点灯態様が異なるとは、点滅の周期を異ならせることを指し、点滅の周期が０の常時点灯も１つの表示状態である。
【００３２】
上記メモリ部コントローラ１０には、プログラムにより実現される識別表示制御手段２２が備えられている。識別表示制御手段２２は、上記初期化実行手段２１が初期化を行っているか否かに基づいて上記識別表示手段１６の表示を表示コントローラ１５を介して制御するものである。
【００３３】
上記のように構成された半導体メモリ装置は、パーソナルコンピュータ等の電子機器の半導体メモリ装置を挿入すべきスロットに挿入された場合には、図２に示されるフローチャートに対応するプログラムにより動作を行う。即ち、半導体メモリ装置が上記スロットに挿入されると、パワーオンリセット動作に入るが、その最初に初期化指示手段１４の状態を検出し、初期化の実行が指示されているか、初期化の不実行が指示されているのかを判定する（Ｓ１１）。即ち、初期化実行手段２１は、パワーオンリセット時に上記初期化指示手段１４からの指示情報を検出して、初期化処理の実行・非実行を決定する。
【００３４】
上記において初期化の不実行が指示されていることが検出されると、パーソナルコンピュータ等の電子機器をホストとする通常のパワーオンリセット及びその後の動作へ移行する（Ｓ１２）。また、ステップＳ１１において初期化の実行が指示されている場合には、通常のパワーオンリセットへは移行せずに、半導体メモリ装置の初期化へ移行し（Ｓ１３）、ユーザデータを管理する領域から初期化を行う（Ｓ１４）。このステップＳ１４の処理によって、フラッシュメモリ部１１内におけるユーザデータを管理する領域を優先して初期化することにより、電源供給時間がフラッシュメモリ部１１の全領域を初期化するまでには十分でない場合に対応できる。
【００３５】
ステップＳ１４が開始された場合とステップＳ１２において通常のデータアクセスを行っている場合には、図３に示される表示処理が開始される。表示処理がスタートとなり、通常のデータアクセスであるかフラッシュメモリ部１１の初期化であるかの検出が行われる（Ｓ２１）、ここで通常のデータアクセスであることが検出されると、通常のデータアクセス中を示す表示を識別表示手段１６において行う（Ｓ２２）。この通常データアクセスが終了したかの検出が行われる（Ｓ２６）。ステップＳ２６において終了が検出されなければ、ステップＳ２２へ戻って識別表示処理が続けられる。一方、ステップＳ２６において終了が検出されると、処理を終了する。また、ステップＳ２１においてフラッシュメモリ部１１の初期化であることが検出されると、フラッシュメモリ部１１の初期化中を示す表示を識別表示手段１６において行う（Ｓ２３）。この識別表示処理は、必ずしも必須のものではない。
【００３６】
図２のステップＳ１４に続いて、ユーザデータを管理する領域に対する初期化が終了したかの検出が行われ（Ｓ１５）、終了しない場合にはステップＳ１４へ戻って処理が続けられる。一方、ステップＳ１５において終了が検出されると、ユーザデータのデータ領域の初期化が行われ（Ｓ１６）、ユーザデータのデータ領域に対する初期化が終了したかの検出が行われる（Ｓ１７）。ステップＳ１７において終了が検出されなければ、ステップＳ１６へ戻って初期化処理が続けられる。一方、ステップＳ１７において終了が検出されると、処理を終了する。
【００３７】
このとき、図３の表示処理では、終了であるかを検出し（Ｓ２４）、終了していなければステップＳ２３へ戻って処理が続けられる。一方、ステップＳ２４において終了が検出されると、識別表示手段１６における表示を終了して（Ｓ２５）、エンドとなる。上記では、ユーザデータを管理する領域を優先して初期化するようにしたが、ステップＳ１４、Ｓ１５を行わず、最初からデータ領域を順に初期化するようにしてもよい。
【００３８】
上記の半導体メモリ装置をＵＳＢメモリにより実現した第２の実施形態の内部構成を、図４に示す。同図に示すように、筐体３０の内部には、メモリ部コントローラ１０であるコントロールＩＣ３１と、フラッシュメモリ部１１であるフラッシュメモリ３２と、電源部１２を構成するレギュレータや発振器等の電源部３３とを備えている。また、筐体３０の図における左側はＵＳＢメモリの端子３６である。
【００３９】
更に、筐体３０には、外部に突出したスライド型スイッチ３４が設けられている。このスライド型スイッチ３４は、初期化指示手段１４である。スライド型スイッチ３４からはスライド状態に応じて所定の信号がコントロールＩＣ３１へ与えられる。また、筐体３０には、識別表示手段１６を構成するＬＥＤ３５Ａ、３５Ｂが外部から目視できる状態で設けられている。このＬＥＤ３５Ａは、例えば、通常のデータアクセス中を示すものであり、ＬＥＤ３５Ｂは、例えば、フラッシュメモリ部１１であるフラッシュメモリ３２の初期化中を示すものである。ＬＥＤ３５Ａ、３５Ｂは、表示コントローラ１５の機能を備えるコントロールＩＣ３１により点灯消灯の制御がなされる。
【００４０】
以上の通りに構成されたＵＳＢメモリによれば、スライド型スイッチ３４をＯＮ状態としてパーソナルコンピュータなどの電子機器の対応スロットへＵＳＢメモリを挿入するだけで、自動的にフラッシュメモリ３２の初期化が実行され、不用意なウィルス等に感染する事態を防ぐことができる。
【００４１】
図５は、第３の実施形態に係る半導体メモリ装置の構成を示すものであり、図４に示した第２の実施形態の変形例の要部を示すものである。本実施形態では、図４に示した第２の実施形態において、更に、筐体３０には、外部に突出したプッシュ型スイッチ３７が設けられている。プッシュ型スイッチ３７において所定時間以上のプッシュ操作を行うことにより、プッシュ型スイッチ３７からは所定の信号がコントロールＩＣ３１へ与えられる。本実施形態では、スライド型スイッチ３４をＯＮ状態とし、且つプッシュ型スイッチ３７において所定時間以上のプッシュ操作を行った場合のみに、初期化動作が開始されるように構成することができる。このような構成にすることにより、不用意にフラッシュメモリ３２の初期化が実行される事態を防ぐことができる。なお、第２の実施形態と第３の実施形態において、スイッチが筐体から突出した寸法をできる限り短くすることにより、誤ってスイッチに触れたとしてもフラッシュメモリ３２の初期化動作へ移行し難くできる。また、第３の実施形態において、プッシュ型スイッチ３７のみを設けた構成としても良い。
【００４２】
図６は、ＳＤカードの筐体４０の正面壁にスライド型スイッチ４１を設けた第４の実施形態を示すものであり、図７は、ＳＤカードの筐体４０の側壁にスライド型スイッチ４１を設けた第５の実施形態を示すものである。これらの実施形態では、識別表示手段１６を構成するＬＥＤと、それの表示制御に係る構成を備えていないが、これらを備えるようにしても良い。更に、スライド型スイッチ４１に代えてプッシュ型スイッチを備えるようにしても良い。内部構成は、図３、図４に示した構成に準じたものとすることができる。
【００４３】
図８は、マイクロＳＤカード５のアダプタ５０にスライド型スイッチ５１を設けた第６の実施形態を示すものである。マイクロＳＤカード５をアダプタ５０に挿入することにより、スライド型スイッチ５１とマイクロＳＤカード５の図示しないコントロールＩＣが電気的に接続される構成となっており、図４に示した構成と同様に機能させることができるものである。
【００４４】
図９は、マイクロＳＤカード５のアダプタ５０Ａの内部に挿入すると、スライド型スイッチ５１がＯＮのとき発生する信号を供給可能となる構成（例えば、配線と端子による構成）を設けた第７の実施形態を示すものである。この第７の実施形態では、マイクロＳＤカード５をアダプタ５０Ａの内部に挿入し適切に固定することにより、スライド型スイッチ５１がＯＮのとき発生する信号をコントロールＩＣへ送出可能な配線が出来上がる。マイクロＳＤカード５を適切に挿入したアダプタ５０Ａを、パーソナルコンピュータなどの電子機器の対応スロットへ挿入するだけで、自動的にフラッシュメモリ３２の初期化が実行され、不用意なウィルス等に感染する事態を防ぐことができる。
【００４５】
図１０は、マイクロＳＤカード５をアダプタ５０Ｂの内部に挿入すると、アダプタ５０Ｂの未使用ピンに所定値を出力する状態となる第８の実施形態を示すものである。図１１に示すように、ＳＤカードとＭＭＣカードとＳＰＩモードにおけるピン配列を示す。ＳＤカードにおいてパワーオンリセット時にはＤＡＴＡ１（ｐｕｌｌ  ｕｐ）、ＤＡＴＡ２（ｐｕｌｌ  ｕｐ）が未使用となる。そこで、マイクロＳＤカード５をアダプタ５０Ｂの内部に挿入したとき、上記の端子にＬＯＷレベルが出力されるように配線を行う（ｐｕｌｌ  ｄｏｗｎ或いはＧＮＤ接続）を行う。この構成によっても第７の実施形態と同様の効果を得ることができる。
【００４６】
図１２は、初期化指示手段１４は、半導体メモリ装置の筐体の所定部位の穴開けまたは切り欠きにより、初期化実行手段２１へ所定の信号を与えるように構成された第９の実施形態の構成例である。具体的には、ＳＤカード６の筐体６０の、例えば正面に、穴６１を容易に形成し得るように穴６１の中心部の部材の周縁に一部の接続部を残し切断しておく。そして、例えば、穴６１の中心部の部材を押圧すると、ＳＤカード６の所定配線が切断し、パーソナルコンピュータなどの電子機器の対応スロットへ挿入したときに通常は得られていた所定レベルの供給が止まるようにする。切欠きによっても同様の構成とすることができる。これを受けてコントロールＩＣが初期化を行う。この構成によっても第７の実施形態と同様の効果を得ることができる。ただし、一度穴６１を開けてしまったり切欠きにより筐体の一部を取り去ったりすると、修復が不能となり、通常の使用ができなくなる。
【００４７】
第１０の実施形態は、通常は絶縁シールが被覆され相互に絶縁された複数のＰＡＤ端子が筐体に設けられているタイプの半導体メモリ装置に関するものである。そして、本実施形態では、初期化指示手段１４が、前記ＰＡＤ端子を被覆するように貼着する初期化指示用絶縁シールであり、当該初期化指示用シールにおける前記ＰＡＤ端子に接触する面に所定のＰＡＤ端子を導通させる導電パターンが設けられているものである。
【００４８】
第１０の実施形態のその１では、図１３に示されるようにＳＤカード７の筐体７０の裏面側には、ＳＤカード７が挿入されるパーソナルコンピュータ等のスロット内の接触片に接続される端子７１が露出した状態で設けられている。上記端子７１の領域とは異なる領域に、通常は絶縁シール７３が被覆され相互に絶縁された複数のＰＡＤ端子７２が設けられている（図１３（ａ））。絶縁シール７３を剥がすと複数のＰＡＤ端子７２が筐体７０外に露出する（図１３（ｂ））。第１０の実施形態のその１では、ＰＡＤ端子７２は１０個以上である。本実施形態では、初期化指示用絶縁シール７４を用いる。上記初期化指示用絶縁シール７４は、その貼着面であって、上記複数のＰＡＤ端子７２内の所定のものを連絡する部位に、導電パターン７５を設けたものである（図１３（ｃ）、図１３（ｄ））。導電パターン７５が、上記ＰＡＤ端子７２の内の所定のものを連絡するように、初期化指示用絶縁シール７４の貼着面をＰＡＤ端子７２に向けて、初期化指示用絶縁シール７４をＳＤカード７の筐体７０の裏面に貼着する（図１３（ｅ））。図１３（ｅ）は、初期化指示用絶縁シール７４をＳＤカード７の筐体７０の裏面に貼着した状態の透視図を示している。この状態のＳＤカード７を、パーソナルコンピュータなどの電子機器の対応スロットへ挿入することにより、パワーオンリセット時にコントロールＩＣが上記導電パターン７５による所定ピン端子の短絡を検出して、初期化を行う。この構成によっても第７の実施形態と同様の効果を得ることができる。通常のＳＤカードとして用いるときには、上記のような導電パターン７５が設けられていない絶縁シール７３を貼着して（図１４（ａ））用いることになる。
【００４９】
第１０の実施形態のその２は、図１４に示されるように、ＳＤカード８の筐体８０の裏面側には、ＳＤカード８が挿入されるパーソナルコンピュータ等のスロット内の接触片に接続される端子８１が露出した状態で設けられている。上記端子８１の領域とは異なる領域に、通常は絶縁シール８３が被覆され相互に絶縁された２つのＰＡＤ端子８２が設けられている（図１４（ａ））。本実施形態では、初期化指示用絶縁シール８４を用いる。上記初期化指示用絶縁シール８４は、その貼着面であって、上記２つのＰＡＤ端子８２を連絡する部位に、導電パターン８５を設けたものである（図１４（ｃ）、図１４（ｄ））。導電パターン８５が、上記ＰＡＤ端子８２の内の所定のものを連絡するように、初期化指示用絶縁シール８４の貼着面をＰＡＤ端子８２に向けて、初期化指示用絶縁シール８４をＳＤカード８の筐体８０の裏面に貼着する（図１４（ｅ））。図１４（ｅ）は、初期化指示用絶縁シール８４をＳＤカード８の筐体８０の裏面に貼着した状態の透視図を示している。この状態のＳＤカード８を、パーソナルコンピュータなどの電子機器の対応スロットへ挿入することにより、パワーオンリセット時にコントロールＩＣが上記導電パターン８５による２つのＰＡＤ端子８２の短絡を検出して、初期化を行う。この構成によっても第７の実施形態と同様の効果を得ることができる。通常のＳＤカードとして用いるときには、上記のような導電パターン８５が設けられていない通常の絶縁シール８３を貼着して（図１４（ａ））用いることになる。
【符号の説明】
【００５０】
５  マイクロＳＤカード
６  ＳＤカード
７  ＳＤカード
８  ＳＤカード
１０  メモリ部コントローラ
１１  フラッシュメモリ部
１２  電源部
１３  端子
１４  初期化指示手段
１５  表示コントローラ
１６  識別表示手段
２１  初期化実行手段
２２  識別表示制御手段
３０  筐体
３２  フラッシュメモリ
３３  電源部
３４  スライド型スイッチ
３６  端子
３７  プッシュ型スイッチ
４０  筐体
４１  スライド型スイッチ
５０、５０Ａ、５０Ｂ  アダプタ
５１  スライド型スイッチ
６０  筐体
６１  穴
７０  筐体
７１  端子
７２  ＰＡＤ端子
７３  絶縁シール
７４  初期化指示用絶縁シール
７５  導電パターン
８０  筐体
８１  端子
８２  ＰＡＤ端子
８３  絶縁シール
８４  初期化指示用絶縁シール
８５  導電パターン
【図１】
2019067042.tif 000003
【図２】
2019067042.tif 000004
【図３】
2019067042.tif 000005
【図４】
2019067042.tif 000006
【図５】
2019067042.tif 000007
【図６】
2019067042.tif 000008
【図７】
2019067042.tif 000009
【図８】
2019067042.tif 000010
【図９】
2019067042.tif 000011
【図１０】
2019067042.tif 000012
【図１１】
2019067042.tif 000013
【図１２】
2019067042.tif 000014
【図１３】
2019067042.tif 000015
【図１４】
2019067042.tif 000016
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
フラッシュメモリ部と、メモリ部コントローラと、電源部とを有する半導体メモリ装置において、
初期化処理の実行を指示するための初期化指示手段と、
前記メモリ部コントローラにおいて動作し、前記初期化指示手段による初期化処理の実行指示を受けた場合に前記フラッシュメモリ部の初期化処理を行う初期化実行手段と
を具備し、
前記初期化指示手段は、前記半導体メモリ装置の筐体または前記半導体メモリ装置のアダプタに設けられたスライド型スイッチとプッシュ型スイッチの双方により構成されることを特徴とする半導体メモリ装置。
【請求項２】
前記初期化指示手段は、初期化処理の実行指示状態と不実行指示状態を任意に切り換え可能であることを特徴とする請求項１に記載の半導体メモリ装置。
【請求項３】
前記初期化指示手段は、初期化処理の不実行指示状態から実行指示状態へ切り換わると、実行指示状態に固定化されることを特徴とする請求項１に記載の半導体メモリ装置。
【請求項４】
前記初期化実行手段は、前記フラッシュメモリ部内におけるユーザデータを管理する領域を優先して初期化することを特徴とする請求項１乃至３のいずれか１項に記載の半導体メモリ装置。
【請求項５】
前記半導体メモリ装置の筐体または前記半導体メモリ装置のアダプタには、
通常のデータアクセス中と前記初期化指示手段からの指示による初期化中とを識別表示する識別表示手段と、
前記初期化実行手段が初期化を行っているか否かに基づいて前記識別表示手段の表示を制御する識別表示制御手段と
を具備することを特徴とする請求項１乃至４のいずれか１項に記載の半導体メモリ装置。
【請求項６】
前記識別表示手段は、１つ以上のＬＥＤにより構成されることを特徴とする請求項５に記載の半導体メモリ装置。
【請求項７】
前記識別表示手段は、異なる色及びまたは異なる点灯態様で発光する１つ以上のＬＥＤにより構成されることを特徴とする請求項５に記載の半導体メモリ装置。
【請求項８】
前記初期化実行手段は、パワーオンリセット時に前記初期化指示手段からの指示情報を検出して、初期化処理の実行・非実行を決定することを特徴とする請求項１乃至７のいずれか１項に記載の半導体メモリ装置。
【手続補正２】
【補正対象書類名】明細書
【補正対象項目名】００１１
【補正方法】変更
【補正の内容】
【００１１】
本発明に係る半導体メモリ装置は、フラッシュメモリ部と、メモリ部コントローラと、電源部とを有する半導体メモリ装置において、初期化処理の実行を指示するための初期化指示手段と、前記メモリ部コントローラにおいて動作し、前記初期化指示手段による初期化処理の実行指示を受けた場合に前記フラッシュメモリ部の初期化処理を行う初期化実行手段とを具備し、前記初期化指示手段は、前記半導体メモリ装置の筐体または前記半導体メモリ装置のアダプタに設けられたスライド型スイッチとプッシュ型スイッチの双方により構成されることを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１９
【補正方法】削除
【補正の内容】